(57)【要約】【課題】視覚的効果や、触感によるプレミアム（高級感）を付与することができる化成品を提供する。【解決手段】クリアファイルは、樹脂シートＰからなる表表紙上に印刷層Ｌ１が形成され、該印刷層Ｌ１がＵＶニス層Ｌ２により覆われている。該ＵＶニス層Ｌ２のうち、下地ニスがコーティングされて形成された層Ｌ２ａとＵＶクリアニスがコーティングされて形成された層Ｌ２ｂが積層された領域Ｒ２の表面に縮みによるエンボス状の凹凸が形成されている。【選択図】図３
0003125132.tif 000002
【実用新案登録請求の範囲】
【請求項１】
樹脂シート上に印刷層が形成され、該印刷層がＵＶニス層により覆われた化成品において、
前記ＵＶニス層の表面に縮みによるエンボス状の凹凸が形成されていることを特徴とする化成品。
【請求項２】
樹脂シート上に印刷層が形成され、該印刷層がＵＶニス層により覆われた化成品において、
前記ＵＶニス層の表面の一部に縮みによるエンボス状の凹凸が形成されていることを特徴とする化成品。
【請求項３】
前記ＵＶニス層の表面において、前記エンボス状の凹凸が形成されていない領域は平面に形成されていることを特徴とする請求項２に記載の化成品。
【請求項４】
前記ＵＶニス層の前記エンボス状の凹凸が形成されている領域は、前記印刷層に接する第１層と、該第１層上に形成されるとともに第１層と成分が異なり、前記縮みによるエンボス状の凹凸が形成された第２層を有することを特徴とする請求項１又は請求項２に記載の化成品。
【請求項５】
前記ＵＶニス層の前記エンボス状の凹凸が形成されている領域は、前記印刷層に接する第１層と、該第１層上に形成されるとともに、第１層と成分が異なり、前記縮みによるエンボス状の凹凸が形成された第２層を有し、
前記ＵＶニス層の前記エンボス状の凹凸が形成されていない領域は、前記第２層を形成するＵＶニスと同じ成分のＵＶニスにより形成されていることを特徴とする請求項１又は請求項２に記載の化成品。
【請求項６】
前記ＵＶニス層の前記エンボス状の凹凸が形成されている領域は、前記印刷層に接する第１層と、該第１層上に形成されるとともに前記縮みによるエンボス状の凹凸が形成された第２層を有し、
前記ＵＶニス層の前記エンボス状の凹凸が形成されていない領域は、前記第１層を形成するＵＶニスと同じ成分のＵＶニスにより形成されていることを特徴とする請求項１又は請求項２に記載の化成品。
【請求項７】
前記ＵＶニス層の前記エンボス状の凹凸が形成されている領域は、粗い目の領域と、細かい目の領域を有することを特徴とする請求項１乃至請求項６のうちいずれか１項に記載の化成品。
【請求項８】
前記印刷層はＵＶインクにより形成されていることを特徴とする請求項１乃至請求項７のうちいずれか１項に記載の化成品。
【請求項９】
前記樹脂シートにより、表表紙と裏表紙の間に用紙を挟持可能なクリアファイルが形成され、前記両表紙のうち、少なくともいずれか一方の表紙の表面には、前記印刷層及びエンボス状の凹凸が形成されているＵＶニス層を有することを特徴とする請求項１乃至請求項８のいずれか１項に記載の化成品。
【請求項１０】
前記樹脂シートにより、パッケージが形成されていることを特徴とする請求項１乃至請求項８のいずれか１項に記載の化成品。
【請求項１１】
前記樹脂シートにより、ポスターが形成されていることを特徴とする請求項１乃至請求項８のいずれか１項に記載の化成品。
【請求項１２】
前記印刷層により、絵柄或いは文字が形成されており、その絵柄或い文字が形成された部分を覆うＵＶニス層にエンボス状の凹凸が形成されていることを特徴とする請求項１乃至請求項１１のいずれか１項に記載の化成品。
【考案の詳細な説明】
【技術分野】
【０００１】
本考案は、クリアファイルや、パッケージ等の化成品に関する。
【背景技術】
【０００２】
従来から、表表紙と裏表紙とが一体に連結されたクリアファイルには、該表表紙及び裏表紙のいずか一方に対して、或いは該表表紙と裏表紙に対して文字や図柄等の印刷が行われてきている。一般的に、クリアファイルに印刷される内容としては、人物や、風景や、物や、或いは、宣伝のための商品や、宣伝文等が印刷され、広告媒体として使用されてきている。
【０００３】
又、広告媒体としては、さらに、商品を包装する合成樹脂製のパッケージや、或いは樹脂製ステッカーや、ポスターのようにＰＯＰ（point−of−purchase  advertising：購買時点広告）もある。
【考案の開示】
【考案が解決しようとする課題】
【０００４】
しかし、従来のクリアファイルでは、ＵＶオフセット印刷や、スクリーン印刷によるプロセスカラー印刷や特色での印刷・箔押しにより文字や図柄を表現するに留まっていた。従来の技法であると、広告的な役割を果たすことができるが、視覚的効果や、触感によるプレミアム（高級感）に欠ける欠点があった。
【０００５】
又、クリアファイル以外の化成品、例えば、商品を包装する合成樹脂製のパッケージや、或いはステッカーや、ポスターのようにＰＯＰ（point−of−purchase  advertising：購買時点広告）の場合においても、視覚的効果や、触感によるプレミアム（高級感）に欠ける問題があった。
【０００６】
本考案の目的は、視覚的効果や、触感によるプレミアム（高級感）を付与することができる化成品を提供することにある。
【課題を解決するための手段】
【０００７】
上記問題点を解決するために請求項１の考案は、樹脂シート上に印刷層が形成され、該印刷層がＵＶニス層により覆われた化成品において、前記ＵＶニス層の表面に縮みによるエンボス状の凹凸が形成されていることを特徴とする化成品を要旨とするものである。
【０００８】
樹脂シートの材質としては、ポリカーボネート、アクリル樹脂、塩化ビニル等の極性樹脂系のものが好適に使用可能であるが、ポリプロピレン、ポリエチレン、ポリスチレン等の非極性樹脂系のものも使用できる。非極性樹脂系のものを使用する場合は、プライマー処理や、コロナ処理を施してから印刷適性を付与することが好ましい。
【０００９】
上記樹脂シートの印刷層が形成される側の面は、平滑で光沢性を有していても良く、或いは平滑でなく、光沢性がなくてもよい。すなわち、樹脂シートは印刷を行うので平滑で光沢な面である必要性はなく、無光沢で若干の凹凸があってもよい。又、樹脂シートの材質は、透明性、半透明性、非透明性は問わない。樹脂シートの材質は、印刷層に描かれる絵柄や、化成品の用途に応じて透明性、半透明性、或いは非透明性が必要かを否かを決定すればよい。
【００１０】
樹脂シートに対する印刷層は、印刷層が形成される面の全てにわたって形成されていてもよく、或いは部分的に形成されていてもよい。この樹脂シートに形成された印刷層を含めて、樹脂シートの印刷層が形成される面の全てにＵＶニス層形成してもよく、或いは、印刷層が樹脂シートに対して部分的に形成されている場合には、少なくともその印刷層の全体が覆われるように、ＵＶニス層が形成されていてもよい。
【００１１】
前記ＵＶニス層を形成するＵＶニスは紫外線照射により硬化するニスである。このＵＶニス層の表面の全体又は一部には、該ＵＶニスが硬化時に縮みが生じて形成されることにより、エンボス状の凹凸が形成されている。
【００１２】
又、樹脂シート上に印刷層が形成され、該印刷層がＵＶニス層により覆われた化成品において、前記ＵＶニス層の表面の一部に縮みによるエンボス状の凹凸が形成されていてもよい（請求項２）。
【００１３】
又、前記ＵＶニス層の表面において、前記エンボス状の凹凸が形成されていない領域（以下、非疑似エンボス領域という）は平面に形成されていることが好ましい（請求項３）。
【００１４】
さらに、前記ＵＶニス層の前記エンボス状の凹凸が形成された領域（以下、疑似エンボス領域という）は、前記印刷層に接する第１層と、該第１層上に形成されるとともに第１層と成分が異なり、前記縮みによるエンボス状の凹凸が形成された第２層を有することが好ましい（請求項４）。
【００１５】
さらに、前記ＵＶニス層の前記疑似エンボス領域は、前記印刷層に接する第１層と、該第１層上に形成されるとともに、第１層と成分が異なり、前記縮みによるエンボス状の凹凸が形成された第２層を有し、前記ＵＶニス層の前記エンボス状の凹凸が形成されていない領域は、前記第２層を形成するＵＶニスと同じ成分のＵＶニスにより形成されてもよい（請求項５）。
【００１６】
このように前記ＵＶニス層の前記非疑似エンボス領域が前記第２層を形成するＵＶニスと同じ成分のＵＶニスにより形成されていることにより、非疑似エンボス領域及び疑似エンボス領域を含めて、第２層を形成するＵＶニスと同じ成分のＵＶニス引きを１度で行うことができる。
【００１７】
又、前記ＵＶニス層の前記疑似エンボス領域は、前記印刷層に接する第１層と、該第１層上に形成されるとともに前記縮みによるエンボス状の凹凸が形成された第２層を有し、前記ＵＶニス層の前記非疑似エンボス領域は、前記第１層を形成するＵＶニスと同じ成分のＵＶニスにより形成されていることが好ましい（請求項６）。
【００１８】
このように前記ＵＶニス層の前記非疑似エンボス領域は、前記第１層を形成するＵＶニスと同じ成分のＵＶニスにより形成されていることにより、非疑似エンボス領域及び疑似エンボス領域を含めて、第１層を形成するＵＶニスと同じ成分のＵＶニス引きを１度で行うことができる。
【００１９】
又、前記ＵＶニス層の前記疑似エンボス領域は、粗い目の領域と、細かい目の領域を有していてもよい（請求項７）。
又、前記印刷層はＵＶインクにより形成されていてもよい（請求項８）。
【００２０】
又、化成品として、前記樹脂シートにより、表表紙と裏表紙の間に用紙を挟持可能なクリアファイルが形成され、前記両表紙のうち、少なくともいずれか一方の表紙の表面には、前記印刷層及びエンボス状の凹凸が形成されているＵＶニス層を有するようにしてもよい（請求項９）。
【００２１】
又、化成品として、前記樹脂シートにより、パッケージに形成されていてもよい（請求項１０）。
さらに、化成品として、前記樹脂シートにより、ポスターに形成されていてもよい（請求項１１）。
【００２２】
又、前記印刷層により、絵柄或いは文字が形成されており、その絵柄或い文字が形成された部分を覆うＵＶニス層に疑似エンボス領域が形成されていてもよい（請求項１２）。
【考案の効果】
【００２３】
請求項１の考案によれば、印刷層上のＵＶニス層の表面に縮みによるエンボス状の凹凸が形成されているため、該エンボス状の凹凸により、該印刷層の視覚的効果が高まるとともに触感によるプレミアム（高級感）を付与できる。
【００２４】
請求項２の考案によれば、印刷層上のＵＶニス層の表面の一部に縮みによるエンボス状の凹凸が形成されているため、該エンボス状の凹凸により、該印刷層の一部の視覚的効果が高まるとともに触感によるプレミアム（高級感）を付与できる。
【００２５】
請求項３の考案によれば、前記ＵＶニス層の表面において、前記非疑似エンボス領域は平面に形成されていることにより、該平面の光沢のある領域（非疑似エンボス領域）と疑似エンボス領域との対比ができ、この結果、該疑似エンボス領域の視覚的効果やプレミアムを該対比によって高めることができる。
【００２６】
請求項４の考案によれば、ＵＶニス層として、印刷層に接する第１層と、該第１層上に形成されるとともに縮みによるエンボス状の凹凸が形成された第２層が設けられることにより、第２層のＵＶニスが硬化されるときに容易に第２層に縮みによるエンボス状の凹凸を形成することができる。
【００２７】
請求項５の考案によれば、ＵＶニス層の非疑似エンボス領域が第２層を形成するＵＶニスと同じ成分のＵＶニスにより形成されていることにより、非疑似エンボス領域及び疑似エンボス領域に対して第２層を形成するＵＶニスと同じ成分のＵＶニス引きを１度で行うことができる。
【００２８】
請求項６の考案によれば、ＵＶニス層の非疑似エンボス領域が第１層を形成するＵＶニスと同じ成分のＵＶニスにより形成されていることにより、非疑似エンボス領域及び疑似エンボス領域を含めて、第１層を形成するＵＶニスと同じ成分のＵＶニス引きを１度で行うことができる。
【００２９】
請求項７の考案によれば、疑似エンボス領域に粗い目の領域と、細かい目の領域を有することにより、さらに、疑似エンボス領域に視覚的変化を付与することができるとともに、該疑似エンボス領域に触った人に対して触感の変化を付与することができる。
【００３０】
請求項８の考案によれば、ＵＶインクにより形成された印刷層を有する化成品において、請求項１乃至請求項７のいずれかの効果を実現することができる。
請求項９の考案によれば、クリアファイルにおいて、請求項１乃至請求項８のいずれか１項に記載の効果を実現できる。
【００３１】
請求項１０の考案によれば、パッケージにおいて、請求項１乃至請求項８のいずれか１項に記載の効果を実現できる。
請求項１１の考案によれば、ポスターにおいて、請求項１乃至請求項８のいず１項に記載の効果を実現できる。
【００３２】
請求項１２の考案によれば、印刷層により、絵柄或いは文字が形成されており、その絵柄或い文字が形成された部分を覆うＵＶニス層に疑似エンボス領域が形成されているため、絵柄或いは、文字に高級感や、触感の変化を付与することができる。
【考案を実施するための最良の形態】
【００３３】
本考案を、化成品としてのクリアファイルに具体化した一実施形態を図１〜３を参照して説明する。
図１（ａ），及び図１（ｂ）に示すようにクリアファイル１０は、四角形をなす表表紙２０と裏表紙３０とを備えており、表表紙２０と裏表紙３０の背ａ側において、互いに一体に連結されて重ね合わされており、下部において、互いに溶着されている。クリアファイル１０は、腹側、及び上部が開放されているため、腹側、又は上部から用紙を挿入して挟み込むことが可能である。クリアファイル１０は、樹脂シートＰからなり、例えば、無色透明なポリプロピレンからなる。なお、透明性は、無色である必要はなく、有色であってもよく、又、半透明であってもよい。
【００３４】
又、樹脂シートＰの表裏両面は、平滑で光沢性を有している。表表紙２０表面の略中央には、ＵＶインクにより画像１００が印刷されている。画像１００は、乗り物としての自動車を左側面（なお、フロントを正面としている）から見た完成車の像であるが、画像の内容は、自動車に限定するものではない。
【００３５】
表表紙２０表面において、画像１００が印刷されている領域Ｒ１以外の領域Ｒ２は特定の色（例えば、白或いは黒等）が印刷されており、画像１００を浮かび上がらせるようにされている。又、裏表紙３０の表面は、表表紙２０表面の領域Ｒ２と同様の特定の色が印刷されている。又、表表紙２０表面の領域Ｒ１全体，領域Ｒ２全体、及び裏表紙３０の表面全体には、後述するＵＶニスがコーティングされていることにより、印刷された領域Ｒ１及び領域Ｒ２の印刷層Ｌ１上にはＵＶニス層Ｌ２が形成されている。
【００３６】
ＵＶニス層Ｌ２のうち、画像１００が印刷された領域Ｒ１は、非疑似エンボス領域とされ、ＵＶニス層Ｌ２の表面が平面に形成されている。又、領域Ｒ２は、疑似エンボス領域とされており、ＵＶニス層Ｌ２の表面にエンボス状の凹凸が形成されている。なお、ＵＶニス層Ｌ２の詳細な説明は後述する。
【００３７】
クリアファイル１０の製造の方法を図２を参照して簡単に説明する。
図２（ａ）に示すように、所定の形状（本実施形態では、Ａ３版より若干大きい四角形状）に形成されるとともに、予めコロナ処理されたポリプロピレン製の樹脂シートＰ表面に対して、図２（ｂ）に示すように、印刷を行う。印刷方法は、例えば、ＵＶオフセット印刷で行うが、この印刷方法に限定するものではない。例えば、ＵＶインクを使用してスクリーン印刷を行うようにしてもよい。ＵＶオフセット印刷は、ＵＶインクを紫外線によって硬化させるものであり、ＰＰ等の合成樹脂からなる樹脂シートＰに対して精細な印刷が可能である。
【００３８】
本実施形態では、枚様紙印刷機としてハイデルベルク・ジャパン社製のスピードマスター  ＣＤ７４にてフルカラー印刷した。なお、印刷層Ｌ１の形成はフルカラー印刷に限定されるものではなく、単色印刷でも良く、２色、又は３色のカラー印刷により形成してもよい。ここではフルカラー印刷を行うことを前提にして説明する。
【００３９】
なお、この印刷機は、フルカラー印刷を行う複数のオフセット印刷ユニットと、下地ニスを塗布するオフセット印刷ユニットと、フレキソ式のニスコータを備えている（いずれも図示しない）。
【００４０】
そして、前記印刷機の複数の印刷ユニット（図示しない）によりフルカラー印刷が行われて樹脂シートＰの表面に印刷層Ｌ１が形成される。この後、オフセット印刷ユニット間に設けられた図示しないＵＶ照射装置によって印刷層Ｌ１の胴間乾燥が行われた後、第１のニス引き装置である前記オフセット印刷ユニット（図示しない）にてＵＶニスからなる前記下地ニスがコーティングされる。
【００４１】
下地ニスは透明なオーバープリント（ＯＰ）ＵＶニスである。ここで、下地ニスは、樹脂シートＰにおいて画像１００が印刷されていない領域のみを覆うようにスポットコーティングされる。そして、画像１００が印刷されている領域は下地ニスがコーティングされていない領域となる。
【００４２】
続いて、第２のニス引き装置である前記フレキソ式のニスコータ（図示しない）により印刷層Ｌ１の全体にＵＶニスである透明なＵＶクリアニスをコーティングする。すなわち、ＵＶクリアニスの塗布は、印刷層Ｌ１の全体、すなわち、下地ニスにてコーティングされた部分（領域Ｒ２）と、下地ニスがコーティングされていない領域（領域Ｒ１）に対して行われる。ここで、ＵＶクリアニスは前記下地ニスとは、重合開始剤や、樹脂成分が異なっており、光沢度（グロス）が高く、低粘度である。
【００４３】
そして、この後、前記ニスコータの下流側に設けられたＵＶ照射装置により、ＵＶが照射されることにより下地ニス及びＵＶクリアニスの乾燥を行う。
この場合、前記ニスコータの下流側に設けられたＵＶ照射装置のＵＶ照射により、下地ニスとＵＶクリアニスとが同時に短時間（通常、１〜３秒以内）で硬化する。このとき、下地ニスとＵＶクリアニスとは重合開始剤や、樹脂成分が異なるため、下地ニス上のＵＶクリアニスには縮みが発生し、下地ニスとＵＶクリアニスとが積層された領域Ｒ２にはエンボス状の凹凸が形成される。又、下地ニスが塗布されていない領域Ｒ１は、ＵＶクリアニスがそのまま塗布されているため、高光沢のクリア領域となる。
【００４４】
なお、このように下地ニスであるＯＰＵＶニスとＵＶクリアニスとが重なった部分で、ＵＶクリアニスにエンボス状の凹凸が形成されることは公知である。
図３には、上記のようにして樹脂シートＰに、印刷層Ｌ１、下地ニスがコーティングされて形成された層Ｌ２ａと、ＵＶクリアニスがコーティングされて形成された層Ｌ２ｂが示されている。同図に示すように、領域Ｒ１の印刷層Ｌ１上には、ＵＶクリアニスがコーティングされて形成された層Ｌ２ｂが形成され、領域Ｒ２の印刷層Ｌ１には、下地ニスがコーティングされて形成された層Ｌ２ａと該層Ｌ２ａ上にＵＶクリアニスがコーティングされて形成された層Ｌ２ｂが形成されている。
【００４５】
ここで、下地ニスがコーティングされて形成された層Ｌ２ａは第１層に相当し、ＵＶクリアニスがコーティングされて形成された層Ｌ２ｂが第２層に相当する。又、ＵＶニス層Ｌ２は、領域Ｒ１ではＵＶクリアニスがコーティングされて形成された層Ｌ２ｂにて構成されているとともに、領域Ｒ２では下地ニスがコーティングされて形成された層Ｌ２ａとＵＶクリアニスがコーティングされて形成された層Ｌ２ｂとにより構成されている。
【００４６】
図２（ｂ）に戻り、このように印刷し、ＵＶニスでコーティングした後、不要な箇所をカットし、折曲げ線ｂを境にして印刷された面を互いに対向する内面側にして折曲げる。そして、表表紙２０の下縁に設定した接合代ｃと、裏表紙３０の下縁に設定した接合代ｄとを熱溶着等により接合すると、図１（ａ）、（ｂ）に示すようにクリアファイル１０が形成される。
【００４７】
さて、本実施形態では、下記の特徴がある。
（１）  本施形態のクリアファイル１０は、樹脂シートＰ上に印刷層Ｌ１が形成され、該印刷層Ｌ１がＵＶニス層Ｌ２により覆われるとともに、ＵＶニス層Ｌ２の表面に縮みによるエンボス状の凹凸が形成されている。この結果、本実施形態のクリアファイル１０はエンボス状の凹凸により印刷層Ｌ１の視覚的効果が高まるとともに触感によるプレミアム（高級感）を付与できる。
【００４８】
（２）  又、本実施形態のクリアファイル１０では、樹脂シートＰ上に印刷層Ｌ１が形成され、印刷層Ｌ１がＵＶニス層Ｌ２により覆われるとともに、ＵＶニス層Ｌ２の表面の一部に縮みによるエンボス状の凹凸が形成された疑似エンボス領域が設けられている。この結果、本実施形態のクリアファイル１０は、エンボス状の凹凸が形成された疑似エンボス領域により印刷層Ｌ１の一部の視覚的効果が高まるとともに触感によるプレミアム（高級感）を付与できる。
【００４９】
（３）  又、本実施形態のクリアファイル１０は、ＵＶニス層Ｌ２の表面において、エンボス状の凹凸が形成されていない非疑似エンボス領域（すなわち、画像１００が印刷されている領域Ｒ１）は平面に形成されている。この結果、本実施形態のクリアファイル１０はＵＶニス層Ｌ２の表面において、前記非疑似エンボス領域は平面に形成されていることにより、該平面の光沢のある領域（非疑似エンボス領域）と疑似エンボス領域との対比ができ、該疑似エンボス領域の視覚的効果やプレミアムを該対比によって高めることができる。
【００５０】
（４）  又、本実施形態のクリアファイル１０では、ＵＶニス層Ｌ２の疑似エンボス領域（領域Ｒ２）は、下地ニスがコーティングされて形成された層Ｌ２ａ（第１層）と、該層Ｌ２ａ上に形成されるとともにとともに層Ｌ２ａと成分が異なり、縮みによるエンボス状の凹凸が形成された層Ｌ２ｂ（第２層）を有する。
【００５１】
この結果、本実施形態のクリアファイル１０は、層Ｌ２ｂ（第２層）のＵＶニスが硬化されるときに容易に層Ｌ２ｂ（第２層）に縮みによるエンボス状の凹凸を形成することができる。
【００５２】
（５）  又、本実施形態のクリアファイル１０では、ＵＶニス層Ｌ２の非疑似エンボス領域は、疑似エンボス領域の第２層を構成するＵＶクリアニスと同じ成分のＵＶクリアニスにより形成された層Ｌ２ｂを有している。この結果、非疑似エンボス領域及び疑似エンボス領域において、ＵＶクリアニスのニス引きを１度で行うことができる。
【００５３】
（６）  本実施形態のクリアファイル１０では、印刷層Ｌ１はＵＶインクにより形成されている。この結果、ＵＶインクにより形成された印刷層Ｌ１を有するクリアファイル１０において、上記（１）〜（５）に記載した作用効果を享受できる。
【００５４】
（第２実施形態）
次に、本発明をパッケージに具体化した第２実施形態を図４及び図５を参照して説明する。なお、第１実施形態と同一構成については、同一符号を付して、その詳細な説明を省略する。
【００５５】
第２実施形態では、図５に示すようにパッケージ５０が第１実施形態と同材質の樹脂シートＰにより両端に開口部を有するように四角筒状に形成されている。図４はパッケージ５０を展開した状態を示しており、樹脂シートＰは第１〜第４側片Ｓ１〜Ｓ４及び接合片Ｓ５が順に並んで一体に連結されている。そして、樹脂シートＰは、隣接した側片間、及び第４側片Ｓ４と接合片Ｓ５間に形成されている折曲線ｈ〜ｋ（図４参照）で折り曲げられて、接合片Ｓ５が第１側片Ｓ１に対して接着剤等により接着されている。第２側片Ｓ２と第４側片Ｓ４は同じ長方形状に形成されている。一方、第１側片Ｓ１と第３側片Ｓ３とは、第２側片Ｓ２よりも小さな面積を有するように同じ長方形状に形成されている。このように、パッケージ５０が四角筒状に形成されていることにより、筒内に製品を収納することが可能である。
【００５６】
第２側片Ｓ２の外表面には、第１実施形態と同様の画像１００がＵＶインクにより印刷され、画像１００が形成された領域Ｒ１は第１実施形態と同様に図３に示すように印刷層Ｌ１上はＵＶクリアニスがコーティングされて形成された層Ｌ２ｂが設けられ、平面の光沢のある領域（非疑似エンボス領域）とされている。
【００５７】
又、第２側片Ｓ２において、領域Ｒ１以外の残りの領域は、領域Ｒ２とされている。すなわち、領域Ｒ２は特定の色（例えば、白或いは黒等）が印刷されており、画像１００を浮かび上がらせるようにされている。
【００５８】
そして、領域Ｒ２は、第１実施形態と同様に疑似エンボス領域とされており、ＵＶニス層Ｌ２の表面にエンボス状の凹凸が形成されている。本実施形態においても、疑似エンボス領域のＵＶニス層Ｌ２は、下地ニスがコーティングされて形成された層Ｌ２ａとＵＶクリアニスがコーティングされて形成された層Ｌ２ｂとにより構成されている。
【００５９】
又、第１側片Ｓ１，第３側片Ｓ３及び第４側片Ｓ４の全外表面には、第２側片と同様に構成された領域Ｒ２（疑似エンボス領域）が形成されている。
このように構成された第２実施形態のパッケージ５０は、第１実施形態で述べた（１）〜（６）と同様の作用効果を奏することができる。
【００６０】
なお、本考案の実施形態は以下のように変更してもよい。
○  第１実施形態のクリアファイル１０では、両表紙に印刷層Ｌ１及びエンボス状の凹凸が形成されているＵＶニス層Ｌ２を有するようにしたが、表表紙２０又は裏表紙３０のいずれか一方の表紙の表面に対して印刷層Ｌ１及びエンボス状の凹凸が形成されているＵＶニス層Ｌ２を形成するようにしてもよい。
【００６１】
○  前記実施形態では、下地ニスとＵＶクリアニスとを積層した後に、ニスコータの下流側に設けられたＵＶ照射装置（紫外線照射装置）にてＵＶを照射することにより下地ニス及びＵＶクリアニスを同時に乾燥を行うようにした。これに代えて、下地ニスをコーティングした後、まず、該下地ニスにＵＶ照射を行って、乾燥硬化させた後、ＵＶクリアニスがコーティングされて、ＵＶ照射装置（紫外線照射装置）にてＵＶを照射することによりＵＶクリアニスを乾燥を行うようにしてもよい。こうすると、下地ニスであるＯＰＵＶニスとＵＶクリアニスとが重なった部分で、ＵＶクリアニスに疑似エンボス状の凹凸が形成される場合、前記実施形態よりも、エンボス状の凹凸の目（ピッチ）を大きくできる。
【００６２】
○  前記各実施形態では、エンボス状の凹凸の目は、ほぼ同じ大きさで形成することができるが、異なるエンボス状の凹凸の目を有する領域（疑似エンボス領域）を同じ樹脂シートＰ上に形成したい場合は、下記のようにして形成するものとする。
【００６３】
すなわち、オフセット印刷機に、ニスコータを２つ設けて、それぞれのニスコータにより樹脂シートＰに対してそれぞれ下地ニスをコーティングし、この後、一方のニスコータでコーティングした領域はＵＶ照射して硬化乾燥させた後、ＵＶクリアニスをコーティングする。又、他方のニスコータでコーティングした領域はＵＶ照射しないで、ＵＶクリアニスをコーティングする。そして、このように両者を前記ＵＶクリアニスでコーティングした領域に対して、同時にＵＶ照射する。このようにすると、異なるエンボス状の凹凸の目を有する領域（疑似エンボス領域）を同じ樹脂シートＰ上に形成することができる。
【００６４】
又、疑似エンボス領域に粗い目の領域と、細かい目の領域を有することができ、この結果、疑似エンボス領域自身に視覚的変化を付与することができるとともに、該疑似エンボス領域に触った人に対して触感の変化を付与することができる。
【００６５】
○  前記第１実施形態では、クリアファイル１０において、非疑似エンボス領域のＵＶニス層Ｌ２は、疑似エンボス領域の層Ｌ２ｂを形成するＵＶクリアニスと同じ成分とした。
【００６６】
これに代えて疑似エンボス領域のＵＶニス層Ｌ２は、印刷層Ｌ１に接する層Ｌ２ａ（第１層）と該第１層上に形成されるとともに縮みによるエンボス状の凹凸が形成された層Ｌ２ｂ（第２層）を有するようにし、非疑似エンボス領域のＵＶニス層Ｌ２を、非疑似エンボス領域の層Ｌ２ａと同じ成分のＵＶニスにより構成してもよい。
【００６７】
このように構成した場合、非疑似エンボス領域のＵＶニス層Ｌ２が、層Ｌ２ａを形成するＵＶニスと同じ成分のＵＶニスにより形成されていることにより、非疑似エンボス領域及び疑似エンボス領域において、層Ｌ２ａを形成するＵＶニスと同じ成分のＵＶニス引きを１度で行うことができる。
【００６８】
○  前記実施形態では、クリアファイルや、パッケージに具体化したが、これらの化成品に限定されるものではなく、樹脂シートをベースとしたポスターや、カード、樹脂製ステッカー等のＰＯＰに具体化できることを勿論のことである。
【００６９】
○  画像１００は、第１実施形態、第２実施形態においては、自動車としたが、文字や、自動車以外の他の絵柄であってもよく、絵柄は限定されるものではない。
○  又、第１実施形態のクリアファイル１０では、表表紙２０にのみ領域Ｒ１，Ｒ２を設けたが、裏表紙３０に対して設けても良く、或いは、両表紙に領域Ｒ１，Ｒ２を設けてもよい。
【００７０】
○  又、第２実施形態のパッケージ５０において、第１側片Ｓ１、第１側片Ｓ１，第３側片Ｓ３及び第４側片Ｓ４に対して領域Ｒ１，Ｒ２を設けてもよい。
○  又、パッケージの形状は、従来から種々あるため、第２実施形態の形状に限定されるものではない。
【図面の簡単な説明】
【００７１】
【図１】（ａ）は本考案を具体化した一実施形態のクリアファイルの表表紙から見た正面図、（ｂ）は、同じくクリアファイルの裏表紙から見た正面図。
【図２】同じく（ａ）、（ｂ）は、クリアファイルの製造の仕方の説明図。
【図３】同じくクリアファイルの断面図。
【図４】他の実施形態において、パッケージとなる樹脂シートの正面図。
【図５】同じくパッケージの斜視図。
【符号の説明】
【００７２】
１０…クリアファイル、２０…表表紙、３０…裏表紙、１００…画像、
Ｒ１，Ｒ２…領域、Ｐ…樹脂シート、Ｌ１…印刷層、Ｌ２ａ…層（第１層）
Ｌ２ｂ…層（第２層）。
【図１】
0003125132.tif 000003
【図２】
0003125132.tif 000004
【図３】
0003125132.tif 000005
【図４】
0003125132.tif 000006
【図５】
0003125132.tif 000007